(57)【要約】【課題】  列車、バス、乗用車のような乗り物の座席において、持参した傘に付着している雨水によって衣服や座席が濡れるのを防止し、また座席への出入りの障害にならない様に傘を安定収納するために座席用の傘収納器具を提供する。【解決手段】  列車、バス、乗用車等のリクライニング機能を有する座席の背もたれ背面に設置されている座席テーブル（４）、または網袋（５）の両脇に残されている縦長スペース（６）を利用して、左右両端が湾曲した縦長板状の背もたれ水濡れ防止版（１）を設置し、背もたれ水濡れ防止板（１）の下部に傘を背もたれ側に引き寄せるための伸縮性傘保持リング（８）を設け、その下方に位置する座席脚部（２０）の背面、または下面に石突挿入部（１４）、およびヒンジ部（１８）で連結され逆Ｌ字型をした懸垂金具（１５）から構成される角度可変の石突保持金具（１３）を取り付ける。【選択図】図１
2007137402.tif 000002
【特許請求の範囲】
【請求項１】
リクライニング機能を有する乗り物の座席において、背もたれ背面に設置されている座席テーブル、または網袋の両側に残されている縦長スペースに縦長板状の背もたれ水濡れ防止板を設置し、背もたれ水濡れ防止板の下部に伸縮性傘保持リングを取り付け、その下方の座席脚部に石突挿入部を有する角度変更可能な石突保持金具を設置した傘を安定収納するための座席用傘収納器具。
【請求項２】
背もたれ水濡れ防止板、石突保持金具のいずれか一方、または両方を廃止し、背もたれ水濡れ防止板を廃止した場合には、背もたれ背面下部に伸縮性傘保持リングを設置した請求項１の座席用傘収納器具。
【請求項３】
リクライニング機能が装備されていない乗り物の座席において、背もたれ背面に設置されている座席テーブル、または網袋の両側に残されている縦長スペースに縦長板状の背もたれ水濡れ防止板を設置し、背もたれ水濡れ防止板の下部に非伸縮性の傘保持リングを取り付け、その下方の座席脚部に石突挿入部を有する角度固定の石突保持金具を設置した傘を安定収納するための座席用傘収納器具。
【請求項４】
背もたれ水濡れ防止板、石突保持金具のいずれか一方、または両方を廃止し、背もたれ水濡れ防止板を廃止した場合には、背もたれの背面下部に非伸縮性の傘保持リングを設置した請求項３の座席用傘収納器具。
【発明の詳細な説明】
【技術分野】
【０００１】  本発明は、列車、バス、乗用車のような乗り物の座席において、持参した傘に付着している雨水によって衣服や座席が濡れるのを防止し、また座席への出入りの障害にならない様に傘を安定収納するための座席用傘収納器具に関するものである。
【背景技術】
【０００２】  従来は、持参した傘を自分の座席の座面や肘掛に持たせかける方法、前列の座席の背もたれ上部に傘の柄を掛ける方法、又は、床面に直接置く方法が採られていた。
一方、空ペットボトルの底部に穴を開け、これを倒立して背もたれ背面に取り付ける発明が知られている（特許文献１）。又、有底の傘挿入筒とこれを座席背面に固定する為の保持部からなる考案が知られている（実用新案文献１）。【０００３】
【特許文献１】特開２００２−１５９３１４号公報
【０００４】
【実用新案文献１】
実開平５−８２６８２号公報
【発明の開示】
【発明が解決しようとする課題】
【０００５】  このために次のような問題点があった。
（イ）持参した傘を自分の座席の座面や肘掛に持たせかける方法は、座席や衣服を雨水で濡らす場合があり、又、傘を斜めに持たせかけるので隣接した座席に出入りする人の通行の妨げとなっていた。
（ロ）前列の座席の背もたれ上部に傘の柄を掛ける方法は、保持安定性に欠けるので振動やリクライニング機能の使用で落下しやすく、マナーの上でも問題があった。
（ハ）座席前の通路や座席下の床面に置く方法は、傘に汚れが付着し、また座席への出入りの妨げになるという弊害があった。
本発明は、以上のような問題点を解決するためになされたものである。
【課題を解決するための手段】
【０００６】  列車、バス、乗用車のリクライニング機能を有する座席の背もたれの背面に設置されている座席テーブル（４）、または網袋（５）の両脇にある未利用の縦長スペース（６）の一つを使用して、左右両端が湾曲した縦長板状の背もたれ水濡れ防止板（１）を設置する。次いで、背もたれ水濡れ防止板（１）の下部に、傘押さえバー（９）、バネカバー（１０）、コイルバネ（１１）、ツマミ（１２）から構成される傘を常に背もたれ側に引き寄せるための馬蹄形をした伸縮性傘保持リング（８）を設置する。更に、その下方にあって床に固定されている座席脚部（２０）の背面または下面に、ヒンジ部（１８）で連結された逆Ｌ字型の懸垂金具（１５）、懸垂金具（１５）の垂直部分下端に取り付けられたコップ状の石突挿入部（１４）から構成される石突保持金具（１３）を設置する。石突挿入部（１４）の左右どちらか一方の側面には、石突挿入部（１４）の角度を靴先で調節するための角度調節突起（１６）が設置されている。リクライニング機能未使用の場合は、傘を伸縮性傘保持リング（８）に差し入れ、石突挿入部（１４）に石突が停止するまで挿入する。リクライニング機能使用中の場合は、伸縮性傘保持リング（８）のツマミ（１２）を指先で引き伸ばしながら傘を差し入れ、続いて、靴先で角度調節突起（１６）を操作して石突挿入部（１４）の角度を調節し石突を挿入する。本発明を使用中に前列の背もたれが倒された場合は、背もたれによって傘の上部が斜め下後方に押されるために、伸縮性傘保持リング（８）が引き伸ばされ、同時に懸垂金具（１５）の垂直部分が前方へ押し出されるので、傘が背もたれの傾斜に応じて角度変化しつつ、背もたれ側に引き寄せられた状態で保持される。本発明は、以上の様な特徴を有する座席用傘収納器具である。
【発明の効果】
【０００７】  長傘から携帯傘まで、あらゆる長さの傘の収納が可能で、座席や衣服を雨水で濡らさず、座席前の通行の妨げにもならず、傘を床面に置くことによる汚れ付着も防ぐことができる。また、座席のリクライニング機能、回転機能に支障を来たさない。
【発明を実施するための最良の形態】
【０００８】  以下に、本発明の実施の形態について説明する。
（イ）背もたれ水濡れ防止板（１）は、横幅５０から６０ｍｍ、高さ６７０から６８０ｍｍの左右両端が湾曲したプラスチック、または金属製の板状構造物で、下部の両脇には傘を背もたれ側に引き寄せるためのコイルバネ（１１）の端部を挿入する小孔（２）を設け、その外面に安全対策用の保護キャップ（３）を設置する。
（ロ）この様な構造をした背もたれ水濡れ防止板（１）を、座席テーブル（４）、または網袋（５）の両脇に残されている背もたれの縦長スペース（６）の一つに、下側に寄せて固定用ネジ（７）で取り付ける。座席回転機能がある場合でも、背もたれの外側に肘掛があるので、横幅が充分であれば背もたれ水濡れ防止板（１）を座席両端の縦長スペース（６）に設置してもその機能を阻害しない。
（ハ）伸縮性傘保持リング（８）は、傘押さえバー（９）、バネカバー（１０）、コイルバネ（１１）、ツマミ（１２）から構成されている馬蹄形構造物である。
傘押さえバー（９）は、楕円、あるいは直線形の薄板状、または棒状部品で、内側の面に滑り止めを施し、その両端はコイルバネ（１１）と直角に強固に連接され、中央部の外面には指先を挿入できる大きさの環状のツマミ（１２）を設置する。傘押さえバー（９）は、その両端に連結された二本のコイルバネ（１１）の間隔維持機能、傘を背もたれ側に押し付ける機能を担っているので、プラスチック、金属のような硬質な材質が適している。背もたれ水濡れ防止板（１）の中心線と傘押さえバー（９）の中央部の間隔は、５０ｍｍが適している。これは、通常、背もたれは直立状態で後方に約５度傾斜しているので、この状態で傘を背もたれ側に引き寄せるために必要な最小間隔である。
バネカバー（１０）は、コイルバネ（１１）を覆い、その周囲を自由に回転する円筒状部品で、コイルバネ（１１）を棒状に維持する機能、安全カバー機能、傘を容易に脱着するためのローラー機能を兼ねているので、プラスチック、金属のような硬質の材料が適しているが、透明性は必須ではない。相対する二本のバネカバー（１０）の距離は４５ｍｍが適していて、これは畳んだ傘の布地部分を左右から挟みとめるために必要な最小間隔である。
コイルバネ（１１）の傘押さえバー（９）と連結されていない他方の端部は、外側に屈曲したＬ字型構造で、背もたれ水濡れ防止板（１）の下部に設けた小孔（２）に内側から挿入されて自由に回転できる構造である。
コイルバネ（１１）の反発力は、背もたれが最大に傾斜した場合でも、傘を背もたれ側に引き付ける力が必要である。背もたれの最大傾斜角度は、垂直線を基準にして３０から４０度の間の設計例が多いので、３０度、および４０度に傾斜した傘の角度を維持するために必要な水平引張り力を無作為に抽出された傘を用いて測定した。測定部位は、石突先端から５００、３２０、２５０ｍｍの位置を仮定した。この結果、背もたれ傾斜角度が３０度で石突先端から５００ｍｍの位置では２７０ｇ、３２０ｍｍでは４４０ｇ、２５０ｍｍでは５４０ｇの水平引張り力が最低限必要なことが判明した。また、背もたれの傾斜角度が４０度で、石突先端から５００ｍｍの位置では３６０ｇ、３２０ｍｍでは５９０ｇ、２５０ｍｍでは７４０ｇの水平引張り力が少なくとも必要であることが分かった。傘を一定の角度に維持するための水平引張り力は、傘の重量と重心の位置に大きく左右されることも判明した。以下の実測値表の中の水平引張り力（ｇ）−５００、−３２０、−２５０は、それぞれ石突先端から５００、３２０、２５０ｍｍにおける測定位置を意味している。また、傘番号１１番、１２番は、ビニール傘を用いた参考データである。
傾斜角３０度における水平引張り力
傘番号                        １      ２      ３      ４      ５
傘全長（ｃｍ）                ８６    ８６    ８７    ８８    ９０
傘重量（ｇ）                ５２０  ４９０  ４３０  ４９０  ３５０
水平引張り力（ｇ）−５００  ２４０  ２００  １８０  ２２５  １４５
水平引張り力（ｇ）−３２０  ４２０  ３６０  ３２０  ３９０  ２４０
水平引張り力（ｇ）−２５０  ４９０  ５００  ４１０  ４８０  ２９０
傘番号                        ６      ７      ８      ９      １０
傘全長（ｃｍ）                ９１    ９２    ９３    ９３    ９３
傘重量（ｇ）                ３８０  ３９０  ４９０  ３７０  ３７０
水平引張り力（ｇ）−５００  １８０  ２００  ２７０  １８０  １７０
水平引張り力（ｇ）−３２０  ３００  ３００  ４４０  ２９０  ２９０
水平引張り力（ｇ）−２５０  ３７０  ３７０  ５４０  ３６０  ３４０
傘番号                        １１    １２
傘全長（ｃｍ）                ７１    ７７
傘重量（ｇ）                ２３０  ２６０
水平引張り力（ｇ）−５００    ６０    ７５
水平引張り力（ｇ）−３２０  １３０  １５０
水平引張り力（ｇ）−２５０  １６０  ２１０
傾斜角４０度における水平引張り力
傘番号                        １      ２      ３      ４      ５
傘全長（ｃｍ）                ８６    ８６    ８７    ８８    ９０
傘重量（ｇ）                ５２０  ４９０  ４３０  ４９０  ３５０
水平引張り力（ｇ）−５００  ３６０  ３４０  ３００  ３３０  ２２０
水平引張り力（ｇ）−３２０  ５６０  ４７０  ４９０  ４８０  ３６０
水平引張り力（ｇ）−２５０  ７４０  ６８０  ５９０  ７２０  ４５０
傘番号                        ６      ７      ８      ９      １０
傘全長（ｃｍ）                ９１    ９２    ９３    ９３    ９３
傘重量（ｇ）                ３８０  ３９０  ４９０  ３７０  ３７０
水平引張り力（ｇ）−５００  ２８０  ２５０  ３６０  ２７０  ２４０
水平引張り力（ｇ）−３２０  ４２０  ４４０  ５９０  ４３０  ３７０
水平引張り力（ｇ）−２５０  ４９０  ５８０  ７００  ４８０  ４００
傘番号                        １１    １２
傘全長（ｃｍ）                ７１    ７７
傘重量（ｇ）                ２３０  ２６０
水平引張り力（ｇ）−５００  １０５  １４０
水平引張り力（ｇ）−３２０  ２００  ２６０
水平引張り力（ｇ）−２５０  ２３０  ３１０
コイルバネ（１１）の伸び率は、背もたれの傾斜角が３０度で石突先端を床面から２０ｍｍ浮かせて保持すると仮定した場合、コイルバネ（１１）の位置が石突先端から５００ｍｍでは元の長さに対して最低１．４倍、３２０ｍｍでは１．７倍、２５０ｍｍでは１．６倍が必要である。同様に、背もたれ傾斜角を４０度に変更した場合、コイルバネ（１１）の位置が石突先端から５００ｍｍでは元の長さに対して最低１．６倍、３２０ｍｍでは２．１倍、２５０ｍｍでは１．９倍必要である。これは、背もたれに押されて傘が後方に傾斜し、それに随伴して石突先端部が床面から浮いた状態で前方に送り出される構造を採用した場合、背もたれ水濡れ防止板（１）の垂直中心線と傘押さえバー（９）の間に生じる距離が、背もたれが直立している状態の５０ｍｍから、以下に示したように最大で１０４ｍｍまで拡大することに基づいている。石突先端から２５０ｍｍの位置は、背もたれ下端よりも下側の座席フレーム枠（２１）の背面に相当するので、コイルバネ（１１）の伸びが３２０ｍｍの位置よりも逆に小さくなる特徴がある。
背もたれ水濡れ防止板と傘押さえバーの間の距離
石突先端からの距離    傾斜角度５度    傾斜角度３０度    傾斜角度４０度
５００ｍｍ            ５２ｍｍ        ７２ｍｍ          ８０ｍｍ
３２０ｍｍ            ５６ｍｍ        ８４ｍｍ        １０４ｍｍ
２５０ｍｍ            ４８ｍｍ        ８０ｍｍ          ９６ｍｍ
上記のような結果から、コイルバネ（１１）を石突先端から５００ｍｍの位置に設置し、その反発力を最低３６０ｇに、伸び率を最低１．６倍にすることが、伸縮性傘保持リング（８）の操作性、安全性、耐久性、傘の保護などの面から最も合理的な構造である事が分かる。つまり、座面の高さが床から３００ｍｍの座席において、石突を床面から２０ｍｍ浮かせて固定すると仮定した場合、背もたれの下側に寄せて設置された背もたれ水濡れ防止板（１）の下端から１８０ｍｍの位置にコイルバネ（１１）を取り付けることになるので、この位置に小孔（２）を設ける。また、携帯傘の骨長は５５０ｍｍのものが採用されている例が多いので、コイルバネ（１１）を上述のような位置に設置すると、全てのサイズの傘を安定的に収納することができる。
（ニ）この様な構造をした伸縮性傘保持リング（８）を構成するコイルバネ（１１）の外側に向いたＬ字型端部を、背もたれ水濡れ防止板（１）の下部両側に設けた小孔（２）に内側から外側方向に挿入する。
（ホ）石突保持金具（１３）は、石突挿入部（１４）と懸垂金具（１５）から構成されるプラスチック製、あるいは金属製の構造物である。
石突挿入部（１４）は、内部が空洞で底部が閉じた円筒状、または逆円錐台状の構造物である。その左右どちらか一方の側面には、靴先で石突挿入部（１４）の角度調節をするための角度調節突起（１６）を設け、これと９０度の角度をなす側面最下部に雨水排水口（１７）を設ける。雨水排水口（１７）と１８０度の角度をなす側面には、ヒンジ部（１８）で連結された水平部分と垂直部分からなる逆Ｌ字型をした懸垂金具（１５）の垂直部分の下端を取り付ける。石突挿入部（１４）の下部内径は最低２１から２２ｍｍとし、上部内径は下部内径と同等、あるいは２から３ｍｍ大きくする。これは、石突先端の外径の実測結果から、最大の石突は木製やプラスチック製の１９ｍｍであることに基づいている。
石突先端の外径（金属製）
傘番号      １      ２      ３      ４      ５      ６      ７
外径（ｍｍ）７．０  ７．０  ７．０  ７．０  ７．０  ７．０  ９．０
傘番号      ８        ９
外径（ｍｍ）１０．０  １１．０
石突先端の外径（木製、プラスチック製）
傘番号      １        ２        ３        ４        ５        ６
外径（ｍｍ）１１．０  １２．０  １２．０  １２．０  １２．０  １３．０
傘番号      ７        ８        ９        １０      １１      １２
外径（ｍｍ）１４．０  １５．０  １６．０  １７．０  １７．０  １８．０
傘番号      １３      １４
外径（ｍｍ）１９．０  １９．０
石突先端の外径（携帯傘）
傘番号      １        ２        ３        ４        ５
外径（ｍｍ）１０．０  １１．０  １２．０  １２．０  １４．０
石突挿入部（１４）の空洞は、背もたれが最大に倒された場合でも石突が自由に離脱しないように、最も短い石突を安定して保持する深さが必要である。最も短い石突は携帯傘のものであり、下に示した実測値から最短は９ｍｍなので、空洞の深さは１０から２０ｍｍを確保する必要がある。
石突の長さ（携帯傘）
傘番号            １      ２        ３        ４        ５
石突の長さ（ｍｍ）９．０  １４．０  １７．０  ２１．０  ２８．０
逆Ｌ字型をした懸垂金具（１５）は、石突挿入部（１４）の上下、前後の位置決めや角度調節の役割を担っている。懸垂金具（１５）の水平部分は、リクライニング機能を使用しない状態で、傘（１９）を伸縮性傘保持リング（８）に挿入した際、傘（１９）が背もたれ水濡れ防止板（１）に接するように直立する長さが必要である。従って、リクライニング機能が使用されていないときの背もたれの傾斜角度に応じて、水平部分の長さを調節する必要がある。懸垂金具（１５）の垂直部分は、最長でも石突挿入部（１４）の底面が床面に接触せず、かつ、傘（１９）の柄が背もたれ上部を超えない長さにする必要がある。一般的に全長の最も長い傘は男性用雨傘の長傘であり、柄上端から石突先端までは通常８４０から９４０ｍｍの範囲にある。また、背もたれの高さは６８０から７００ｍｍに、床面から座面までの高さは３００ｍｍに設計されている例が多い。従って、上述の石突挿入部（１４）の底面と傘の柄の位置関係を満足するためには、石突挿入部（１４）の底面が床面を基準にして、２０から４０ｍｍ離れるように懸垂金具（１５）の垂直部分の長さを設定する必要がある。この条件下では、背もたれの高さが６８０ｍｍの場合は、全長９４０ｍｍの傘の柄の先端が背もたれ上部を基点にして２０ｍｍ下から背もたれ上部と同一位置の範囲内に、背もたれの高さが７００ｍｍの場合は、背もたれ上部を基点に４０から２０ｍｍ下の範囲内に収まることになる。同時に、石突挿入部（１４）の高さに連動して、背もたれ水濡れ防止板（１）の下部に設けた小孔（２）の位置も変更する必要がある。
（ヘ）この様な構造をした石突保持金具（１３）を、背もたれ水濡れ防止板（１）の中心線の下方延長線上にあって、床に固定されている座席脚部（２０）の背面または下面に、座席直下の座席フレーム枠（２１）と接触しないように設置する。
本発明は以上の様な構造をなしており、これを使用するときは次のように操作する。前列の座席がリクライニング機能を使用していない場合は、ツマミ（１２）を指先で挟み持って伸縮性傘保持リング（８）を起こし、傘（１９）を伸縮性傘保持リング（８）に差し入れ、石突挿入部（１４）に石突が停止するまで挿入する。前列の座席がリクライニング機能使用中の場合は、ツマミ（１２）を指先で挟み持って伸縮性傘保持リング（８）を起こしながら引き伸ばし、傘（１９）を伸縮性傘保持リング（８）に差し入れる。次に、角度調節突起（１６）を靴先で操作して、石突挿入部（１４）の角度を調節して石突を停止するまで挿入する。
本発明を使用中に前列の背もたれが倒された場合は、背もたれによって傘（１９）の上部に斜め下後方へ押す力が加えられる。この結果、伸縮性傘保持リング（８）が引き伸ばされ、同時に座席フレーム粋（２１）と傘（１９）の接触点が支点となって懸垂金具（１５）の垂直部分が前方に押し出されるので、傘（１９）の角度が背もたれの傾斜に同調して変化する。
この様に、本発明を使用することにより、傘（１９）は常に背もたれの傾斜に応じた角度を維持しつつ、背もたれ側に引き寄せられた状態で安定して保持される。
本発明を使用中に座席テーブル（４）を使用する場合は、傘の柄の湾曲部が座席テーブルと重ならない様に傘を回転させると、座席テーブル（４）を倒すことができる。
また、本発明の部品は、背もたれ、座面、座席フレーム枠（２１）からなる回転部と固定部である座席脚部（２０）に分離して設置され、且つ背もたれよりも外側の位置に肘掛がある。従って、座席回転機能が、本発明の実施によって阻害される恐れはない。
【実施例】
【実施例１】
【０００９】  リクライニング機能が装備されている座席では、座席や床の構造、材質の違いによっては次のような応用例が挙げられる。背もたれ水濡れ防止板（１）を廃止して、背もたれ背面下部に設置した取付金具の左右に設けた小穴に、コイルバネ（１１）のＬ字型両端部を挿入して伸縮性傘保持リング（８）を設置し、その下方の座席脚部（２０）の背面、または下面に、石突挿入部（１４）、およびヒンジ部（１８）で連結された逆Ｌ字型の懸垂金具（１５）から構成される石突保持金具（１３）を設置する方法、背もたれ水濡れ防止板（１）の下部両側に設けた小孔（２）に、コイルバネ（１１）のＬ字型両端部を挿入して伸縮性傘保持リング（８）を設置し、石突保持金具（１３）を廃止する方法、背もたれ水濡れ防止板（１）も石突保持金具（１３）も廃止し、背もたれ背面下部に設置した取付金具の左右に設けた小穴に、コイルバネ（１１）のＬ字型両端部を挿入して、伸縮性傘保持リング（８）のみを設置する方法でも効果を期待できる。
【実施例２】
【００１０】  リクライニング機能のない座席では傘が傾斜しないので、次のような応用例が挙げられる。背もたれ背面に設置されている座席テーブル（４）、または網袋（５）の両側に残されている縦長スペース（６）の一つに背もたれ水濡れ防止板（１）を設置し、その下部両側に設けた小孔（２）に、環の一部を欠いたプラスチック、または金属製の非伸縮性傘保持リングの両端部を挿入し、その下方の座席脚部（２０）の背面、または下面に、石突挿入部（１４）、およびヒンジ部（１８）のない角度固定の逆Ｌ字型をした懸垂金具（１５）からなる石突保持金具（１３）を設置する方法でも効果を期待できる。
【実施例３】
【００１１】  リクライニング機能のない座席では、座席や床の構造、材質の違いによっては次のような応用例が挙げられる。背もたれ水濡れ防止板（１）を廃止して、背もたれ背面下部に設置した取付金具の左右に設けた小穴に、環の一部を欠いたプラスチック、または金属製の非伸縮性傘保持リングの両端部を挿入し、その下方の座席脚部（２０）の背面、または下面に、石突挿入部（１４）、およびヒンジ部（１８）のない角度固定の逆Ｌ字型をした懸垂金具（１５）からなる石突保持金具（１３）を設置する方法、背もたれ水濡れ防止板（１）の下部両側に設けた小孔（２）に、環の一部を欠いたプラスチック、または金属製の非伸縮性傘保持リングの両端部を挿入し、石突保持金具（１３）を廃止する方法、背もたれ水濡れ防止板（１）も石突保持金具（１３）も廃止して、背もたれ背面下部に設置した取付金具の左右に設けた小穴に、環の一部を欠いたプラスチック、あるいは金属製の非伸縮性傘保持リングの両端部を挿入する方法でも効果を期待できる。
【実施例４】
【００１２】  リクライニング機能が装備されている座席において、伸縮性傘保持リング（８）を構成するコイルバネ（１１）の代わりに、ゴムベルトやゴムを編み込んだ紐を使用しても同等の効果を期待できる。また、伸縮性傘保持リング（８）全体をゴムベルト、ゴムを編みこんだ紐、コイルバネにしても同等の効果を期待できる。
【実施例５】
【００１３】  リクライニング機能が装備されている座席において、石突保持金具（１３）を構成している角度変更可能な懸垂金具（１５）は、ヒンジ部（１８）で連結された逆Ｌ字型の蝶番構造以外に、ヒンジ部（１８）のない逆Ｌ字型の板バネ、棒バネ、弾性プラスチックを使用しても同等の効果を期待できる。
【図面の簡単な説明】
【００１４】
【図１】本発明をリクライニング機能、座席回転機能のある座席に適用した正面図
【図２】本発明の背もたれ水濡れ防止板、および伸縮性傘保持リングの斜視図
【図３】本発明の石突保持金具の斜視図
【図４】本発明の座席回転機能のある座席でのリクライニング機能未使用時の使用例
【図５】本発明の座席回転機能のある座席でのリクライニング機能使用時の使用例
【図６】本発明の座席回転機能のない座席でのリクライニング機能未使用時の使用例
【図７】本発明の座席回転機能のない座席でのリクライニング機能使用時の使用例
【符号の説明】
【００１５】  １  背もたれ水濡れ防止板
２  小孔
３  保護キャップ
４  座席テーブル
５  網袋
６  縦長スペース
７  固定用ネジ
８  伸縮性傘保持リング
９  傘押さえバー
１０  バネカバー
１１  コイルバネ
１２  ツマミ
１３  石突保持金具
１４  石突挿入部
１５  懸垂金具
１６  角度調節突起
１７  雨水排水口
１８  ヒンジ部
１９  傘
２０  座席脚部
２１  座席フレーム枠
【図１】
2007137402.tif 000003
【図２】
2007137402.tif 000004
【図３】
2007137402.tif 000005
【図４】
2007137402.tif 000006
【図５】
2007137402.tif 000007
【図６】
2007137402.tif 000008
【図７】
2007137402.tif 000009